(57)【要約】【課題】外観の悪化を防止することができ且つ環状体の内周を覆うための被覆シートを設けた場合でも水及び塵埃の侵入及び製造コストの増大を防止することができる包装用部材を提供する。【解決手段】環状体１２の外周の長さ寸法とほぼ等しい長さ寸法を有する長尺状のシート部材からなる被覆部１３に、該被覆部を折り返すことによって複数の重複部１４を長手方向に互いに所定の間隔をおいて形成し、これにより、環状体１２の内周の長さ寸法とほぼ等しい長さ寸法を被覆部１３に確保する。被覆部１３は、各重複部１４の重複が解除不能となるように固定された両端部１４ａを除く中間部分１４ｂの重複がそれぞれ解除されることにより、被覆部１３の幅方向で互いに向かい合う一対の縁部１３ａ，１３ｂが互いに近づき且つ長手方向で互いに向かい合う両端部１３ｃ，１３ｄが互いに接するように環状に変形することによって、環状体１２を収容するための収容空間１８を規定する。【選択図】図２
2008074411.tif 000002
【特許請求の範囲】
【請求項１】
環状体を包装するための包装用部材であって、前記環状体をその外周に沿って巡るように配置され、該環状体をその外周側から覆う被覆部を備え、該被覆部は、前記環状体の外周の周方向に沿った長さ寸法とほぼ等しい長さ寸法を有する長尺状のシート部材からなり、前記被覆部には、その長手方向の長さ寸法が前記環状体の内周の周方向に沿った長さ寸法とほぼ等しくなるように、前記被覆部の長手方向に直交する方向に伸びる谷折り線で谷折りすることにより前記被覆部を折り返し、更に、前記被覆部の長手方向に直交する方向に伸び且つ前記谷折り線の一側に所定の間隔をおいて該谷折り線に隣接した山折り線で山折りすることにより前記谷折り線での折り返し方向と反対方向へ前記被覆部を折り返すことによって少なくとも三重に折り重ねられた複数の重複部が前記被覆部の長手方向に互いに所定の間隔をおいて形成されており、前記各重複部の両端部はそれぞれの重複が解除不能となるように固定されており、前記被覆部は、前記各重複部の前記両端部を除く中間部分の重複がそれぞれ解除されることにより、前記環状体を収容するための収容空間を規定すべく、前記被覆部の幅方向で互いに向かい合う一対の縁部が互いに近づき且つ長手方向で互いに向かい合う両端部が互いに接するように環状に変形することを特徴とする包装用部材。
【請求項２】
前記被覆部の少なくとも一方の前記縁部には、該縁部に沿って伸び、前記被覆部の変形状態では該被覆部の前記両端部側に位置する両端部が互いに接することにより前記収容空間内に収容された前記環状体をその内周に沿って巡る筒状をなして該環状体をその内周側から覆う被覆シートが設けられていることを特徴とする請求項１に記載の包装用部材。
【請求項３】
前記被覆シートは、前記被覆部の前記両縁部にそれぞれ設けられており、前記被覆部の変形状態では前記各被覆シートは互いに重なり合うことを特徴とする請求項２に記載の包装用部材。
【請求項４】
前記被覆シートは、前記被覆部とは別体に形成され、前記被覆シートの幅方向で互いに向かい合う一対の縁部のうち一方の縁部で前記被覆部の前記縁部に接合されていることを特徴とする請求項２又は３に記載の包装用部材。  
【発明の詳細な説明】
【技術分野】
【０００１】
本発明は、例えば電線のような線状体を巻回すことにより形成される環状体を包装するための包装用部材に関する。
【背景技術】
【０００２】
従来、電線を巻回すことによりドーナツ状に形成された環状体を包装するための包装用部材として、両端部が開放した筒状の被覆部を備える包装用部材が知られている（例えば、特許文献１参照。）。被覆部は、環状体の外周の長さ寸法とほぼ等しい長さ寸法を有する長尺状のシート部材の両端部を互いに接合することにより形成される。
【０００３】
この包装用部材では、包装用部材により環状体を包装する際、環状体の中心軸が被覆部の軸線にほぼ一致するように環状体を被覆部内に配置し、被覆部の各端部をそれぞれ環状体の内方に折り込んだ後、各端部の開口の大きさがそれぞれ環状体の内径とほぼ等しくなるように各端部をそれぞれ紐で絞る。これにより、環状体がその径方向外方及び側方から被覆部により覆われて被覆部内に包み込まれた状態に保持されるので、環状体が被覆部内から各端部を経て抜け出すことが防止される。
【０００４】
また、長尺状のシート部材の両端部を互いに接合することにより筒状の被覆部が形成されることから、被覆部を形成するために該被覆部の材料であるシート部材を余すことなく全て使用することができる。これにより、被覆部を形成するために例えばシート部材を型抜きする場合のようにシート部材を全て使用することなく部分的に残す場合に比べて、材料が無駄になることを確実に防止することができる。
【特許文献１】実開平７−１７７７５号公報
【発明の開示】
【発明が解決しようとする課題】
【０００５】
しかしながら、被覆部内からの環状体の抜け出しを防止するために各端部をそれぞれ紐により絞ることから、各端部を紐で絞ることにより該各端部にそれぞれ被覆部の周方向に沿って波打つように多数のヒダが不規則に形成される。このため、環状体を包装用部材により包装した状態で外観の悪化を招く。
【０００６】
また、環状体をその内周側から被覆すべく、被覆部の環状体の内方に折り込まれた両端部間を閉鎖するために、被覆部の一方の端部に該端部から他方の端部に向けて伸びる筒状の被覆シートを設けた場合、被覆部の前記一方の端部の絞り込みに伴って被覆シートの口径が小さくなるように被覆シートが絞り込まれるため、被覆シートに多数のヒダが不規則に形成される。このため、環状体を包装用部材により包装した状態で更なる外観の悪化を招く。
【０００７】
また、被覆シートにその周方向に沿って多数のヒダが形成されることから、環状体の内周側を被覆シートにより覆った状態で、被覆シートの先端と被覆部の前記他方の端部とを互いに整合させ難いため、被覆シートの先端と被覆部の前記他方の端部との間に大きな隙間が形成される。このため、被覆シートの先端と被覆部の前記他方の端部との間に形成された大きな隙間を経て水及び塵埃等が被覆部内に容易に侵入してしまう。
【０００８】
更に、被覆シートは、被覆部の前記一方の端部が絞られていない状態すなわち前記一方の端部の周方向の長さ寸法が環状体の外周の長さ寸法とほぼ等しい状態で前記一方の端部に設けられることから、被覆シートの周方向の長さ寸法は、環状体の外周の長さ寸法とほぼ等しい大きさを有し、従って、環状体をその内周側から覆うために必要となる最低限の長さ寸法すなわち環状体の内周の長さ寸法とほぼ等しい長さ寸法よりも大きい。このため、被覆シートは環状体の内周の被覆に寄与しない不要な部分を有することから、被覆シートを形成するために、前記最低限の長さ寸法を有する被覆シートを形成するために必要となる材料の量よりも多い量の材料が必要となるため、製造コストの増大を招く。
【０００９】
そこで、本発明の目的は、外観の悪化を防止することができ且つ環状体の内周を覆うための被覆シートを設けた場合でも水及び塵埃の侵入及び製造コストの増大を防止することができる包装用部材を提供することにある。
【課題を解決するための手段】
【００１０】
上記課題を解決するために、請求項１に記載の発明は、環状体を包装するための包装用部材であって、前記環状体をその外周に沿って巡るように配置され、該環状体をその外周側から覆う被覆部を備え、該被覆部は、前記環状体の外周の周方向に沿った長さ寸法とほぼ等しい長さ寸法を有する長尺状のシート部材からなり、前記被覆部には、その長手方向の長さ寸法が前記環状体の内周の周方向に沿った長さ寸法とほぼ等しくなるように、前記被覆部の長手方向に直交する方向に伸びる谷折り線で谷折りすることにより前記被覆部を折り返し、更に、前記被覆部の長手方向に直交する方向に伸び且つ前記谷折り線の一側に所定の間隔をおいて該谷折り線に隣接した山折り線で山折りすることにより前記谷折り線での折り返し方向と反対方向へ前記被覆部を折り返すことによって少なくとも三重に折り重ねられた複数の重複部が前記被覆部の長手方向に互いに所定の間隔をおいて形成されており、前記各重複部の両端部はそれぞれの重複が解除不能となるように固定されており、前記被覆部は、前記各重複部の前記両端部を除く中間部分の重複がそれぞれ解除されることにより、前記環状体を収容するための収容空間を規定すべく、前記被覆部の幅方向で互いに向かい合う一対の縁部が互いに近づき且つ長手方向で互いに向かい合う両端部が互いに接するように環状に変形することを特徴とする。
【００１１】
請求項２に記載の発明は、請求項１に記載の発明において、前記被覆部の少なくとも一方の前記縁部には、該縁部に沿って伸び、前記被覆部の変形状態では該被覆部の前記両端部側に位置する両端部が互いに接することにより前記収容空間内に収容された前記環状体をその内周に沿って巡る筒状をなして該環状体をその内周側から覆う被覆シートが設けられていることを特徴とする。
【００１２】
請求項３に記載の発明は、請求項２に記載の発明において、前記被覆シートは、前記被覆部の前記両縁部にそれぞれ設けられており、前記被覆部の変形状態では前記各被覆シートは互いに重なり合うことを特徴とする。
【００１３】
請求項４に記載の発明は、請求項２又は３に記載の発明において、前記被覆シートは、前記被覆部とは別体に形成され、前記被覆シートの幅方向で互いに向かい合う一対の縁部のうち一方の縁部で前記被覆部の前記縁部に接合されていることを特徴とする。
【発明の効果】
【００１４】
請求項１に記載の発明では、環状体の外周の周方向に沿った長さ寸法とほぼ等しい長さ寸法を有する長尺状のシート部材からなる被覆部には、該被覆部を折り返すことによって複数の重複部を長手方向に互いに所定の間隔をおいて被覆部に形成することにより、環状体の内周の周方向に沿った長さ寸法とほぼ等しい長さ寸法が確保されており、被覆部は、各重複部の重複が解除不能となるように固定された両端部を除く中間部分の重複がそれぞれ解除されることにより、被覆部の幅方向で互いに向かい合う一対の縁部が互いに近づき且つ長手方向で互いに向かい合う両端部が互いに接するように環状に変形することによって、環状体を収容するための収容空間を規定している。
【００１５】
従って、請求項１に記載の発明によれば、各重複部の両端部は重複が解除不能となるように固定されていることから、各重複部の両端部はそれぞれ重複の解除が許されていないので、被覆部が環状に変形した状態では、被覆部の各重複部の両端部を含む各縁部が折り返される前の状態に戻ることはない。これにより、環状に変形した被覆部の各縁部すなわち環状の被覆部の内周には、変形前と同様に、環状体の内周の長さ寸法にほぼ等しい長さ寸法が確保される。また、被覆部を環状に変形させるために各重複部の前記中間部分の重複をそれぞれ解除したとき、各重複部はそれぞれ重複の解除が許されていない端部を中心に扇状に開くので、被覆部の長手方向に伸びる中心線上の部分が折り返される前の状態に戻る。これにより、環状に変形した被覆部の外周には、被覆部の周方向に環状体の外周の長さ寸法とほぼ等しい長さ寸法が確保される。
【００１６】
これにより、被覆部に形成された収容空間内に環状体を収容したときに、環状体をその径方向外方及び側方から被覆部により覆うことができ、環状体を被覆部内に包み込んだ状態に保持することができるので、環状体が被覆部内からその外方に抜け出すことを防止することができる。
【００１７】
従って、包装用部材を用いて環状体を包装する際、被覆部の両縁部に環状体の内周の長さ寸法とほぼ等しい長さ寸法が確保された状態で被覆部を環状体に装着することができることから、筒状の被覆部内からの環状体の抜け出しを防止するために、従来のように被覆部の開放端部の開口の大きさが環状体の内径とほぼ等しい大きさになるように各端部をそれぞれ紐により絞る必要はないので、被覆部の両縁部に従来のような多数のヒダが不規則に形成されることを確実に防止することができる。これにより、環状体を包装用部材により包装した状態で被覆部の両縁部に多数のヒダが不規則に形成されることによって従来のような外観の悪化を招くことを、確実に防止することができる。
【００１８】
また、被覆部内からの環状体の抜け出しを防止するために被覆部の両縁部をそれぞれ従来のような紐で絞る必要はないことから、例えば環状体をその内周側から被覆すべく被覆部の両縁部間を閉鎖するために被覆部の一方の縁部に被覆シートを設けた場合でも、環状体への被覆部の装着時に被覆シートが絞り込まれることはない。これにより、被覆シートに従来のような多数のヒダが形成されることが防止されるので、環状体を包装用部材により包装した状態で被覆シートに多数のヒダが不規則に形成されることにより従来のような更なる外観の悪化を招くことを、確実に防止することができる。
【００１９】
更に、被覆部の前記一方の縁部に前記被覆シートを設けた場合でも被覆シートに従来のような多数のヒダが不規則に形成されることが防止されることから、環状体の内周側を被覆シートにより覆った状態で、被覆シートの先端と被覆部の前記他方の縁部とを互いに容易に整合させることができる。これにより、被覆シートの先端と被覆部の前記他方の縁部との間に従来のような大きな隙間が形成されることが防止されるので、被覆シートの先端と被覆部の前記他方の縁部との間を経て水及び塵埃等が被覆部内に侵入することを確実に抑制することができる。
【００２０】
また、被覆部の両縁部の長さ寸法が被覆部の変形の前後で変化することなく環状体の内周の長さ寸法とほぼ等しいことから、例えば前記した被覆シートを被覆部の前記一方の縁部に設ける場合、被覆シートの被覆部の長手方向に沿った長さ寸法は、被覆部の前記一方の縁部の長さ寸法と等しい長さすなわち環状体の内周の長さ寸法とほぼ等しい長さになり、従って、環状体をその内周側から覆うために必要となる最低限の長さになる。これにより、被覆部の端部の周方向の長さ寸法が環状体の外周の長さ寸法とほぼ等しい状態で被覆シートを設ける必要がある従来の場合のように被覆シートが環状体の外周の長さ寸法とほぼ等しい長さ寸法を有するときすなわち被覆シートが環状体の内周の被覆に寄与しない不要な部分を有するときに比べて、被覆シートを形成するために必要となる材料の量を減らすことができる。これにより、環状体の内周を覆うのに不要な部分を有する被覆シートを形成することによる従来のような製造コストの増大を確実に防止することができる。
【００２１】
更に、長尺状のシート部材を部分的に折り重ねることによって複数の重複部を形成することにより被覆部が形成されることから、被覆部を形成するために該被覆部の材料であるシート部材を余すことなく全て使用することができる。これにより、従来と同様に、被覆部を形成するために例えばシート部材を型抜きする場合のようにシート部材を全て使用することなく部分的に残す場合に比べて、材料が無駄になることを確実に防止することができる。
【００２２】
請求項２に記載の発明によれば、被覆部の少なくとも一方の縁部には、該縁部に沿って伸び、被覆部の変形状態では該被覆部の両端部側に位置する両端部が互いに接することにより収容空間内に収容された環状体をその内周に沿って巡る筒状をなして該環状体をその内周側から覆う被覆シートが設けられていることから、筒状に変形した被覆シートにより環状体の内周を覆うことにより、環状体の内周側の部分に水や塵埃等が付着することを防止することができる。
【００２３】
請求項３に記載の発明によれば、被覆シートは被覆部の両縁部にそれぞれ設けられており、被覆部の変形状態では各被覆シートは互いに重なり合うことから、被覆部の一方の縁部に設けられた一方の被覆シートと被覆部の他方の縁部との間にたとえ隙間が形成されたとしても、両被覆シートを互いに重ね合わせることにより前記隙間を前記他方の縁部に設けられた被覆シートにより塞ぐことができる。これにより、前記隙間を経て被覆部内に水及び塵埃等が侵入することをより確実に防止することができる。
【００２４】
請求項４に記載の発明によれば、被覆シートは、被覆部とは別体に形成され、被覆シートの幅方向で互いに向かい合う一対の縁部のうち一方の縁部で被覆部の縁部に接合されていることから、被覆部に複数の重複部を形成した後に各被覆シートをそれぞれ被覆部に接合することができるので、各被覆シートがそれぞれ被覆部に一体に形成された場合のように被覆部への各重複部の形成時に各被覆シートに各重複部が形成されることはない。これにより、各被覆シートに各重複部がそれぞれ形成されることにより各被覆シートに環状体の内周の被覆に寄与しない不要な部分が形成されることが防止されるので、包装用部材の形成に用いられる材料の量に無駄が生じることが防止される。従って、包装用部材の形成に用いられる材料の量に無駄が生じることによる製造コストの増大を確実に防止することができる。
【００２５】
また、被覆部への各重複部の形成時に各被覆シートに各重複部が形成されることが防止されることから、被覆部に加えて各被覆シートにそれぞれ複数の重複部が形成されることによる包装用部材全体の重量の増大が防止されるので、包装用部材全体の重量が増大することによる包装用部材を用いた環状体の包装作業の効率の低下を確実に防止することができる。
【発明を実施するための最良の形態】
【００２６】
本発明を図示の実施例に沿って説明する。
【実施例】
【００２７】
図１は、電線１１を巻回すことにより形成される環状体１２を包装するための包装用部材１０に本発明を適用した例を示す。
【００２８】
本発明に係る包装用部材１０は、図１に示すように、環状体１２をその外周に沿って巡るように配置され該環状体をその外周側から覆う被覆部１３を備える。
【００２９】
被覆部１３は、図示の例では、ポリエチレンのような熱可塑性樹脂からなり、環状体１２の外周の長さ寸法とほぼ等しい長さ寸法を有する長尺状のシート部材から形成されている。また、被覆部１３は、環状体１２を被覆していない状態では、図２に示すように、全体に矩形の平板状をなしている。
【００３０】
被覆部１３には、図２乃至図６に示すように、少なくとも三重に折り重ねられた複数の重複部１４が被覆部１３の長手方向に互いに等間隔をおいて形成されている。
【００３１】
各重複部１４は、図示の例では、それぞれ三重に重複しており、以下の方法により被覆部１３に形成される。
【００３２】
シート状の被覆部１３にその長手方向に直交する谷折り線１５を形成し、該谷折り線で被覆部１３を谷折りすることにより該被覆部を折り返す。次に、被覆部１３の長手方向に直交する方向に伸び且つ谷折り線１５の一側に所定の間隔をおいて該谷折り線に隣接した山折り線１６を被覆部１３に形成し、山折り線１６で被覆部１３を山折りすることにより谷折り線１５での折り返し方向と反対方向へ被覆部１３を折り返す。その後、複数の谷折り線１５及び複数の山折り線１６をそれぞれ被覆部１３の長手方向に所定の間隔をおいて順次形成し、各谷折り線１５及び各山折り線１６で被覆部１３を折り返す。これにより、被覆部１３に、図示の例では、複数の重複部１４が形成される。
【００３３】
重複部１４の幅寸法すなわち谷折り線１５と山折り線１６との間隔は、以下の式から求めることができる。
【００３４】
（重複部の個数）×（谷折り線及び山折り線間の間隔×２）＋（環状体の内周の長さ）＝（環状体の外周の長さ）                                              ・・・式（１）
図示の例では、環状体１２の内周の長さは２４４（ｃｍ）であり、環状体の外周の長さは３４０（ｃｍ）であり、重複部１４の個数が１６個であることから、これらの値を式（１）に代入することにより、谷折り線１５と山折り線１６との間隔を３（ｃｍ）にすればよいことが分かる。
【００３５】
被覆部１３に各重複部１４を形成する前の被覆部１３の長手方向の長さ寸法が、前記したように、環状体１２の外周の長さ寸法にほぼ等しいことから、各重複部１４の形成により、被覆部１３の長手方向の長さ寸法は環状体１２の内周の長さ寸法とほぼ等しい。
【００３６】
各重複部１４の両端部１４ａは、図７に示すように、それぞれ密着して重複した状態で例えば木綿からなる糸１７により縫合されており、これにより、重複が解除不能となるように固定されている。
【００３７】
被覆部１３は、各重複部１４の両端部１４ａを除く中間部分１４ｂの重複がそれぞれ解除されることにより、図１に示すように、被覆部１３の幅方向で互いに向かい合う一対の縁部１３ａ，１３ｂが互いに近づき且つ長手方向で互いに向かい合う両端部１３ｃ，１３ｄが互いに接するように環状に変形する。
【００３８】
このとき、各重複部１４の両端部１４ａは重複した状態に固定されていることから、各重複部１４の両端部１４ａはそれぞれ重複の解除が許されていないので、被覆部１３が環状に変形した状態では、被覆部１３の各重複部１４の両端部１４ａを含む各縁部１３ａ，１３ｂが折り返される前の状態に戻ることはない。これにより、環状に変形した被覆部１３の各縁部１３ａ，１３ｂすなわち環状の被覆部１３の内周には、変形前と同様に、環状体１２の内周の長さ寸法にほぼ等しい長さ寸法が確保されている。
【００３９】
また、被覆部１３を環状に変形させるために各重複部１４の前記中間部分１４ｂの重複をそれぞれ解除したとき、各重複部１４はそれぞれ重複の解除が許されていない端部１４ａを中心に扇状に開く。これにより、被覆部１３の長手方向に伸びる中心線Ｌ（図２参照。）上の部分１３ｅが折り返される前の状態に戻るので、環状に変形した被覆部１３の前記中心線Ｌで規定される円周すなわち外周には、被覆部１３の周方向に環状体１２の外周の長さ寸法とほぼ等しい長さ寸法が確保されている。
【００４０】
被覆部１３の変形により、該被覆部内には、図８に示すように、被覆部１３の径方向内方に開放し、環状体１２の収容が可能な収容空間１８が規定される。
【００４１】
被覆部１３の変形状態では、図示の例では、被覆部１３の互いに接する両端部１３ｃ，１３ｄは互いに重なり合っており、該両端部の重複部分の長さを増減させることにより、被覆部１３の外周及び内周の長さを微調整することができる。被覆部１３の各端部１３ｃ，１３ｄには、それぞれ図示しない紐が設けられており、該各紐を互いに結ぶことにより、被覆部１３は環状に変形した状態に保持される。
【００４２】
被覆部１３の各縁部１３ａ，１３ｂのうち少なくとも一方には、環状体１２をその内周側から覆う被覆シート１９が設けられている。
【００４３】
被覆シート１９は、図１に示す例では、被覆部１３の両縁部１３ａ，１３ｂにそれぞれ設けられている。また、各被覆シート１９は、図示の例では、それぞれ被覆部１３と同様にポリエチレンのような熱可塑性樹脂製のシート部材からなり、被覆部１３とは別体に形成されている。
【００４４】
各被覆シート１９は、被覆部１３が環状に変形していない状態では、図２、図７及び図９に示すように、それぞれ被覆部１３の各縁部１３ａ，１３ｂに沿って伸び且つ該各縁部から互いに近づく方向に伸びるように被覆部１３上に配置されている。各被覆シート１９は、図示の例では、それぞれ幅方向で互いに向かい合う一対の縁部１９ａ，１９ｂのうち一方の縁部１９ａが被覆部１３の各縁部１３ａ，１３ｂに前記した糸１７により縫合されることにより接合されており、これにより、被覆部１３に固定されている。
【００４５】
各被覆シート１９の長手方向の長さ寸法は、それぞれ各重複部１４が形成された被覆部１３の長さ寸法すなわち環状体１２の内周の長さ寸法にほぼ等しい。また、各被覆シート１９の幅寸法は、それぞれ被覆部１３の変形状態で後述するように各被覆シート１９の少なくとも他方の縁部１９ｂが互いに重なり合うように設定されている。
【００４６】
各被覆シート１９は、被覆部１３が環状に変形したとき、該被覆部の両端部１３ｃ，１３ｄが互いに接することにより、図１に示すように、それぞれ被覆部１３の両端部１３ｃ，１３ｄ側に位置する両端部１９ｃが互いに接し、又は、被覆部１３の両端部１３ｃ，１３ｄが互いに重なり合ったときは該両端部の前記重複部分の長さと等しい長さで両端部１９ｃが互いに重なり合う。これにより、各被覆シート１９は、それぞれ収容空間１８内に収容された環状体１２をその内周に沿って巡る筒状をなす。このとき、環状に変形した被覆部１３の内周には、前記したように、環状体１２の内周の長さ寸法とほぼ等しい長さ寸法が確保されていることから、筒状に変形した各被覆シート１９の周方向の長さ寸法に環状体１２の内周の長さ寸法とほぼ等しい大きさが確保される。これにより、各被覆シート１９は、それぞれ環状体１２の内周を被覆可能となる。
【００４７】
また、各被覆シート１９は、被覆部１３が変形した状態では、図８に示すように、環状体１２の内周上で前記したように互いに重なり合っている。
【００４８】
本発明に係る包装用部材１０を用いて環状体１２を包装する際、先ず、被覆部１３を前記したように環状をなすように変形させる。
【００４９】
次に、被覆部１３により規定された収容空間１８内に環状体１２を収容する。このとき、各被覆シート１９は、前記したように、それぞれ被覆部１３の各縁部１３ａ，１３ｂに沿って伸び且つ該各縁部から互いに近づく方向に伸びるように被覆部１３上に配置されていることから、各被覆シート１９は、被覆部１３が環状に変形した状態では、それぞれ被覆部１３の各縁部１３ａ，１３ｂから収容空間１８内に向けて伸びるように配置されるので、環状体１２を被覆部１３の収容空間１８内に収容する際、各被覆シート１９をそれぞれ前記一方の縁部１９ａを中心に収容空間１８の外方に向けて折り曲げた後、両被覆シート１９間を通して環状体１２を収容空間１８内に挿入する。これにより、環状体１２がその外周及び軸方向両側から被覆部１３により覆われる。
【００５０】
続いて、折り曲げた両被覆シート１９をそれぞれ収容空間１８内に向けて戻す。このとき、各被覆シート１９の幅寸法は、前記したように、それぞれ被覆部１３の変形状態で少なくとも前記他方の縁部１９ｂが互いに重なり合うように設定されていることから、両被覆シート１９は、被覆部１３の両縁部１３ａ，１３ｂ間の距離に応じた大きさの重複領域で互いに重なる。このとき、互いに重なり合った両被覆シート１９を例えば融着及び接着剤を用いた接着により互いに接合することができる。また、両被覆シート１９をそれぞれ収容空間１８内に向けて戻したとき、各被覆シート１９はそれぞれ前記一方の縁部１９ａで折り曲げられることによる反力によって環状体１２の内周に向けて付勢されるので、各被覆シート１９はそれぞれ環状体１２の内周に容易に密着する。これにより、環状体１２の内周が両被覆シート１９で被覆され、更に、被覆部１３の両縁部１３ａ，１３ｂ間が両被覆シート１９により閉鎖されることにより収容空間１８が封鎖される。
【００５１】
これにより、環状体１２は、その外周、内周及び両側方から被覆部１３及び各被覆シート１９により被覆され、これにより、包装用部材１０による環状体１２の包装が終了する。
【００５２】
環状体１２が包装用部材１０で包装された状態では、図１に示すように、環状体１２の内方は閉鎖されることなく開放しているので、例えば包装された環状体１２を運搬するときに該環状体の内方に例えば腕を挿入することができる。これにより、環状体１２が包装された状態で該環状体の内方が閉鎖されている場合に比べて環状体１２をより容易に運搬することができる。
【００５３】
本実施例によれば、前記したように、被覆部１３が環状をなすように変形した状態では、被覆部１３の内周には、変形前と同様に、環状体の内周の長さ寸法にほぼ等しい長さ寸法が確保され、また、被覆部の外周には、被覆部１３の周方向に環状体１２の外周の長さ寸法とほぼ等しい長さ寸法が確保されることから、被覆部１３に形成された収容空間１８内に環状体１２を収容することによって、環状体１２をその径方向外方及び側方から被覆部１３により覆うことができ、環状体１２を被覆部１３内に包み込んだ状態に保持することができるので、環状体１２が被覆部１３内からその外方に抜け出すことを防止することができる。
【００５４】
従って、包装用部材１０を用いて環状体１２を包装する際、被覆部１３の両縁部１３ａ，１３ｂに環状体１２の内周の長さ寸法とほぼ等しい長さ寸法が確保された状態で被覆部１３を環状体１２に装着することができることから、従来のように筒状の被覆部内からの環状体の抜け出しを防止するために、被覆部の開放端部の開口の大きさが環状体の内径とほぼ等しい大きさになるように各端部をそれぞれ紐により絞る必要はないので、被覆部１３の両縁部１３ａ，１３ｂに従来のような多数のヒダが不規則に形成されることを、確実に防止することができる。これにより、環状体１２を包装用部材１０により包装した状態で被覆部１３の両縁部１３ａ，１３ｂに多数のヒダが不規則に形成されることによって従来のような外観の悪化を招くことを、確実に防止することができる。
【００５５】
尚、本発明に係る包装用部材１０では、被覆部１３に形成された各重複部１４の両端部１４ａがそれぞれ重複解除不能となるように固定されていることから、被覆部１３が環状に変形した状態では各重複部１４の両端部１４ａがそれぞれヒダ状をなすが、各重複部１４は、前記したように、環状に変形した被覆部１３の周方向に等間隔をおいて形成されていることから、環状体１２を包装用部材１０により包装した状態では、被覆部１３の両縁部１３ａ，１３ｂに各重複部１４の端部１４ａで構成される複数のヒダが被覆部１３の周方向に規則的に形成される。これにより、被覆部１３の両縁部１３ａ，１３ｂに従来のように多数のヒダが不規則に形成される場合に比べて、包装用部材１０により環状体１２を包装した状態での外観の悪化が確実に防止される。
【００５６】
更に、前記したように、被覆部１３の各縁部１３ａ，１３ｂには、それぞれ環状体１２の内周を覆う被覆シート１９が設けられていることから、被覆部１３の変形時に筒状に変形した各被覆シート１９により環状体１２の内周を覆うことにより、環状体１２の内周側の部分に水や塵埃等が付着することを防止することができる。
【００５７】
また、被覆部１３内からの環状体１２の抜け出しを防止するために被覆部１３の両縁部１３ａ，１３ｂをそれぞれ従来のような紐で絞る必要はないことから、環状体１２への被覆部１３の装着時に各被覆シート１９がそれぞれ絞り込まれることはない。これにより、各被覆シート１９に従来のような多数のヒダが不規則に形成されることが防止されるので、各被覆シート１９に多数のヒダが不規則に形成されることによる環状体１２を包装用部材１０により包装した状態での更なる外観の悪化を確実に防止することができる。
【００５８】
更に、前記したように、各被覆シート１９は被覆部１３の変形状態で互いに重なり合うことから、被覆部１３の一方の縁部１３ａに設けられた一方の被覆シート１９と被覆部１３の他方の縁部１３ｂとの間にたとえ隙間が形成されたとしても、両被覆シート１９を互いに重ね合わせることにより前記隙間を前記他方の縁部１３ｂに設けられた被覆シート１９により塞ぐことができる。これにより、前記隙間を経て被覆部１３内に水及び塵埃等が侵入することをより確実に防止することができる。また、各被覆シート１９に従来のような多数のヒダが形成されることが防止されることから、両被覆シート１９間を経て水及び塵埃等が被覆部１３内に侵入することをより確実に抑制することができる。
【００５９】
また、被覆部１３の両縁部１３ａ，１３ｂの長さ寸法が被覆部１３の変形の前後で変化することなく環状体１２の内周の長さ寸法とほぼ等しいことから、各被覆シート１９の被覆部１３の長手方向に沿った長さ寸法は、被覆部１３の各縁部１３ａの長さ寸法と等しい長さすなわち環状体１２の内周の長さ寸法とほぼ等しい長さになり、従って、環状体１２をその内周側から覆うために必要となる最低限の長さになる。これにより、被覆部の端部の周方向の長さ寸法が環状体の外周の長さ寸法とほぼ等しい状態で被覆シートを設ける必要がある従来の場合のように被覆シートが環状体の外周の長さ寸法とほぼ等しい長さ寸法を有するときすなわち被覆シートが環状体の内周の被覆に寄与しない不要な部分を有するときに比べて、被覆シート１９を形成するために必要となる材料の量を減らすことができる。これにより、環状体１２の内周を覆うのに不要な部分を有する被覆シート１９を形成することによる従来のような製造コストの増大を確実に防止することができる。
【００６０】
また、前記したように、各被覆シート１９は、それぞれ被覆部１３とは別体に形成され、被覆シート１９の一方の縁部１９ａで被覆部１３の縁部１３ａ，１３ｂに接合されている。
【００６１】
例えば各被覆シート１９がそれぞれ被覆部１３に一体に形成された場合、被覆部１３に複数の重複部１４を形成するときに各被覆シート１９にそれぞれ重複部１４が形成される。このため、各被覆シート１９に環状体１２の内周の被覆に寄与しない不要な部分が形成されるため、包装用部材１０の形成に用いられる材料の量に無駄が生じる。このため、製造コストの増大を招く。また、被覆部１３に加えて各被覆シート１９にそれぞれ複数の重複部１４が形成されるため、包装用部材１０全体の重量が重くなる。このため、包装用部材１０を用いた環状体１２の包装作業の効率の低下を招く。
【００６２】
これに対し、本発明によれば、前記したように、被覆シート１９は、被覆部１３とは別体に形成され、被覆シート１９の一方の縁部１９ａで被覆部１３の縁部１３ａ，１３ｂに接合されていることから、被覆部１３に複数の重複部１４を形成した後に各被覆シート１９をそれぞれ被覆部１３に接合することができるので、各被覆シート１９がそれぞれ被覆部１３に一体に形成された場合のように被覆部１３への各重複部１４の形成時に各被覆シート１９に各重複部１４が形成されることはない。これにより、各被覆シート１９に各重複部１４がそれぞれ形成されることにより各被覆シート１９に環状体１２の内周の被覆に寄与しない不要な部分が形成されることが防止されるので、包装用部材１０の形成に用いられる材料の量に無駄が生じることが防止される。従って、包装用部材１０の形成に用いられる材料の量に無駄が生じることによる製造コストの増大を確実に防止することができる。
【００６３】
また、被覆部１３への各重複部１４の形成時に各被覆シート１９に各重複部１４が形成されることが防止されることから、被覆部１３に加えて各被覆シート１９にそれぞれ複数の重複部１４が形成されることによる包装用部材１０全体の重量の増大が防止されるので、包装用部材１０全体の重量が増大することによる包装用部材１０を用いた環状体１２の包装作業の効率の低下を確実に防止することができる。
【００６４】
更に、前記したように、被覆部１３が環状体１２を被覆していない状態すなわち変形していない状態では、被覆部１３は全体に矩形の平板状をなしており、シート状の各被覆シート１９はそれぞれ被覆部１３上に配置されていることから、包装用部材１０を環状体１２の包装に用いていない状態では包装用部材１０は全体にほぼ平板状をなすので、包装用部材１０を折り畳み易くすることができる。これにより、包装用部材１０を折り畳むことによって該包装用部材の大きさを全体的に小さくすることができるので、包装用部材１０を容易に運搬することができ、また、包装用部材１０を例えば保管しておく際に広い収納空間を要することなく小さな収納空間に収納することができる。
【００６５】
また、前記したように、長尺状のシート部材を部分的に折り重ねることによって複数の重複部１４を形成することにより被覆部１３が形成されることから、被覆部１３を形成するために該被覆部の材料であるシート部材を余すことなく全て使用することができる。これにより、従来と同様に、被覆部１３を形成するために例えばシート部材を型抜きする場合のようにシート部材を全て使用することなく部分的に残す場合に比べて、材料が無駄になることを確実に防止することができる。
【００６６】
本実施例では、重複部１４の個数が１６個であり、谷折り線１５と山折り線１６との間隔が３（ｃｍ）である例を示したが、これに代えて、前記した式（１）を満たす値であれば、例えば環状体１２の内周及び外周の長さに応じて、重複部１４の個数と谷折り線１５及び山折り線１６間の間隔とをそれぞれ適宜変更することができる。
【００６７】
また、本実施例では、被覆シート１９が被覆部１３の各縁部１３ａ，１３ｂにそれぞれ設けられた例を示したが、これに代えて、被覆シート１９を被覆部１３の例えば一方の縁部１３ａに設けることができる。この場合、被覆シート１９の幅寸法を、被覆部１３の変形状態で被覆部１３の両縁部１３ａ，１３ｂ間を閉鎖する大きさに設定することができる。
【００６８】
これにより、被覆部１３の前記一方の縁部１３ａに被覆シート１９を設けた場合でも該被覆シートに従来のような多数のヒダが形成されることが防止されることから、環状体１２の内周側を被覆シート１９により覆った状態で、被覆シート１９と被覆部１３の前記他方の縁部１３ｂとを互いに容易に整合させることができる。これにより、被覆シート１９と被覆部１３の前記他方の縁部１３ｂとの間に従来のような大きな隙間が形成されることが防止されるので、被覆シート１９と被覆部１３の前記他方の縁部１３ｂとの間を経て水及び塵埃等が被覆部１３内に侵入することを確実に抑制することができる。
【００６９】
更に、本実施例では、被覆シート１９がシート部材からなる例を示したが、これに代えて、被覆部１３の変形状態で収容空間１８内に収容された環状体１２の内周を覆うことができれば、被覆シート１９をシート部材以外の部材で形成することができる。
【００７０】
また、本実施例では、各被覆シート１９がそれぞれ被覆部１３と別体に形成された例を示したが、これに代えて、各被覆シート１９をそれぞれ被覆部１３に一体に形成することができる。
【００７１】
この場合、図示しないが、複数の重複部１４が形成されることなくシート状をなした被覆部１３の両縁部１３ａ，１３ｂにそれぞれ該両縁部から被覆部１３の幅方向外方に張り出し且つ両縁部１３ａ，１３ｂに沿って伸びる一対の張出部を形成し、被覆部１３及び前記各張出部をそれぞれ前記したと同様に折り返すことにより複数の重複部１４を被覆部１３及び前記各張出部間を跨るように形成し、各重複部１４が形成された前記各張出部でそれぞれ被覆シート１９を構成することができる。また、この場合、各重複部１４の両端部１４ａを重複した状態に固定することに加えて各重複部１４の被覆部１３及び各被覆シート１９間における部分を重複した状態に固定することができる。
【００７２】
これによれば、各被覆シート１９がそれぞれ被覆部１３とは別体に形成された場合のように各被覆シート１９を被覆部１３に接合する場合に比べて、包装用部材１０の製造工程を減らすことができる。これにより、被覆シート１９を被覆部１３に接合する場合に比べて包装用部材１０を容易に形成することができる。
【００７３】
また、各重複部１４は、それぞれ被覆部１３及び前記張出部間すなわち被覆部１３及び各被覆シート１９間に跨るようにそれらに形成されており、それぞれの被覆部１３及び各被覆シート１９間における部分で重複した状態が固定されていることから、被覆部１３が環状に変形したときに、各重複部１４の各被覆シート１９における部分の重複が解除されることが防止される。これにより、被覆部１３の変形時に各重複部１４の前記部分の重複が解除されることにより各被覆シート１９がその長手方向に沿って大きく波打つことを、防止することができる。これにより、各被覆シート１９が大きく波打つことにより該各被覆シート間に大きな隙間が形成されることを、確実に防止することができる。
【００７４】
更に、本実施例では、被覆部１３及び各被覆シート１９がそれぞれポリエチレンのような熱可塑性樹脂からなる例を示したが、これに代えて、被覆部１３及び各被覆シート１９をそれぞれ熱硬化性樹脂、布、紙及び金属のように熱可塑性樹脂以外の材料で形成することができる。
【００７５】
また、本実施例では、被覆部１３の各端部１３ｃ，１３ｄにそれぞれ紐が設けられており、該各紐を互いに結ぶことにより被覆部１３は環状に変形した状態に保持される例を示したが、これに代えて、又は、これに加えて、被覆部１３の各端部１３ｃ，１３ｄをそれぞれテープ及び接着剤等の接合材を用いて互いに接合することにより被覆部１３が環状に変形した状態に保持することができる。
【００７６】
更に、本実施例では、複数の重複部１４がそれぞれ三重に重複した例を示したが、これに代えて、四重以上に重複した複数の重複部を被覆部１３に形成することができる。
【００７７】
また、本実施例では、各重複部１４の両端部１４ａを接合するため及び各被覆シート１９を被覆部１３に接合するために用いられる糸１７が木綿からなる例を示したが、これに代えて、糸１７を例えば樹脂材料のように木綿以外の材料で形成することができる。
【００７８】
例えば、糸１７を被覆部１３及び各被覆シート１９と同様にポリエチレンのような熱可塑性樹脂で形成した場合、使用済みの包装用部材１０を処分すべく溶解したときに糸１７が不純物となることなく被覆部１３及び各被覆シート１９に融合するので、包装用部材１０のリサイクル性を確実に向上させることができる。
【００７９】
更に、本実施例では、各重複部１４の両端部１４ａを接合するため及び各被覆シート１９を被覆部１３に接合するためにそれぞれ糸１７を用いて縫合した例を示したが、これに代えて、又は、これに加えて、各重複部１４の両端部１４ａの接合及び被覆部１３への各被覆シート１９の接合を、それぞれ例えば融着により行うことができ、また、接着剤及びテープを用いた接着により行うことができる。
【００８０】
また、本実施例では、被覆シート１９が被覆部１３の各縁部１３ａ，１３ｂのうち少なくとも一方に設けられた例を示したが、これに代えて、被覆シート１９を不要とすることができる。
【００８１】
更に、本実施例では、電線１１を巻回すことにより形成される環状体１２を包装するための包装用部材１０に本発明を適用した例を示したが、これに代えて、例えば管部材のように電線１１以外の線状体を巻回すことにより形成された環状体や、線状体から形成されることなく本来環状をなした環状体等を包装するための包装用部材に本発明を適用することができる。
【図面の簡単な説明】
【００８２】
【図１】本発明に係る包装用部材により環状体が包装された状態を概略的に示す斜視図である。
【図２】本発明に係る包装用部材を概略的に示す斜視図である。
【図３】図２のI−I線に沿った縦断面図である。
【図４】本発明に係る包装用部材を概略的に示す正面図である。
【図５】本発明に係る包装用部材を概略的に示す背面図である。
【図６】（ａ）は本発明に係る包装用部材を概略的に示す平面図であり、（ｂ）は本発明に係る包装用部材を概略的に示す底面図である。
【図７】図２のII−II線に沿った横断面図である。
【図８】図１のＡ−Ａ線に沿った横断面図である。
【図９】（ａ）は本発明に係る包装用部材を概略的に示す左側面図であり、（ｂ）は本発明に係る包装用部材を概略的に示す右側面図である。
【符号の説明】
【００８３】
１０  包装用部材
１２  環状体
１３  被覆部
１４  重複部
１４ａ  端部（重複部の端部）
１４ｂ  中間部分（重複部の中間部分）
１５  谷折り線
１６  山折り線
１８  収容空間
１９  被覆シート
【図１】
2008074411.tif 000003
【図２】
2008074411.tif 000004
【図３】
2008074411.tif 000005
【図４】
2008074411.tif 000006
【図５】
2008074411.tif 000007
【図６】
2008074411.tif 000008
【図７】
2008074411.tif 000009
【図８】
2008074411.tif 000010
【図９】
2008074411.tif 000011